(57)【要約】      （修正有）【課題】負傷者が治療優先度を自分勝手に変更しようとしても変更の出来ないトリアージタッグを提供する。【解決手段】上面に複写用紙を付したトリアージに必要な事項の記載欄を有し、且つその下に、治療優先度を示す４種類の識別標識を切り取り可能に設けてなるトリアージタッグにおいて、下から第１優先順位の赤色の識別標識、第２優先順位の黄色の識別標識、第３優先順位の緑色の識別標識、第４優先順位の黒色の識別標の順に位置することを特徴とする。第１優先順位の識別標識は第２優先順位の識別標識より下に位置することを特徴とする構成要件により、負傷者が治療優先度を自分勝手に変更しようとしても変更の出来ないトリアージタッグを提供することができた。【選択図】図１
0003151663.tif 000002
【実用新案登録請求の範囲】
【請求項１】
上面に複写用紙を付したトリアージに必要な事項の記載欄を有し、且つその下に、治療優先度を示す４種類の識別標識を切り取り可能に設けてなるトリアージタッグにおいて、第１優先順位の識別標識は第２優先順位の識別標識より下に位置することを特徴とするトリアージタッグ。
【請求項２】
第２優先順位の識別標識は第３優先順位の識別標識より下に位置することを特徴とする請求項１に記載のトリアージタッグ。
【請求項３】
第４優先順位の識別標識が、第１優先順位の識別標識、第２優先順位の識別標識、第３優先順位の識別標識よりも、最も上に位置することを特徴とする請求項１〜２の何れかに記載のトリアージタッグ。
【請求項４】
第１優先順位の識別標識が赤色、第２優先順位の識別標識が黄色、第３優先順位の識別標識が緑色、第４優先順位の識別標識が黒色であることを特徴とする請求項１〜３の何れかに記載のトリアージタッグ。
【考案の詳細な説明】
【技術分野】
【０００１】
本考案は、トリアージタッグに関する。
【０００２】
より詳しくは、治療優先度を示す４種類の識別標識を切り取り可能に設けてなるトリアージタッグにおいて、第１優先順位の識別標識、第２優先順位の識別標識、第３優先順位の識別標識、第４優先順位の識別標識のそれぞれの配置位置を特定したトリアージタッグに関する。
【背景技術】
【０００３】
トリアージタッグとは、限られた人的物的資源の状況下で、最大多数の傷病者に最善の医療を施すため、患者の緊急度と重傷度により治療優先度を決める標識である。
【０００４】
自然災害、人的災害時には多くの傷病者が出るが、これらの傷病者のうち緊急度と重傷度に応じて治療優先度を決め、最善の医療を速やかに施すことが求められている。
【０００５】
このため従来トリアージタッグには治療優先度を直ちに認識できるように、生命、四肢の危機的状態で直ちに処置の必要なものを治療優先度第１順位の識別標識、２〜３時間処置を遅らせても悪化しない程度のものを治療優先度第２順位の識別標識、軽度外傷、通院加療が可能な程度のものを治療優先度第３順位の識別標識、生命徴候のないものを治療優先度第４順位の識別標識とし、第１順位の識別標識は赤色、第２順位の識別標識は黄色、第３順位の識別標識は緑色、第４順位の識別標識は黒色とされていた（図３を参照）。
かかるトリアージタッグのシステムは、緊急を要する者から順番に医師に診察してもらい、一人でも多くの人に助かってもらいたいということで考えだされたものである。
【０００６】
しかし、今のシステムでは、このトリアージタッグのシステムを悪用する者が出て来る。そこが問題である。世の中には、性善説ではなく性悪説を前提にして議論をしなければならない事態も生じ得る。自分だけ助かれば良いと考える自己中心的な者もいるのである。
自分の治療を優先的にしようとするために、他の者の治療順位を無視し、自分だけが治療を受けようとする者がいるのである。
自分は第２順位の識別標識（黄色）のトリアージタッグを付けられていたのに、他の人を押しのけて、第１順位の識別標識（赤色）のように振舞う人間が出て来る。災害時のある場所に、第２順位の識別標識（黄色）の人間が何人かいたとする。ある一人の傷病者が、第２順位の識別標識（黄色）のトリアージタッグを付けられていたとする。
その傷病者が、第１順位の識別標識（赤色）の人のところに割り込んだ場合、その傷病者の診察の為に、命の助かるはずの第１順位の識別標識（赤色）の傷病者が死に至ったとなれば、それは大変な出来事である。
現在のトリアージタッグであると、悪用する者が出てくる可能性がある。
何処が問題かと言うと、トリアージタッグの４種類の識別標識が下から、第３順位の識別標識（緑色）、第２順位の識別標識（黄色）、第１順位の識別標識（赤色）、第４順位の識別標識（黒色）となっていることが、問題である（図３参照）。
仮に、私のトリアージタッグが、第２順位の識別標識（黄色）のトリアージタッグだったとする。少し怪我をしているわけである。その時に、私が、トリアージタッグの黄色の部分だけを切り取って捨てれば、私の第２順位の識別標識（黄色）のトリアージタッグを、第１順位の識別標識（赤色）のトリアージタッグに変更ができるわけである。トリアージタッグは簡便性のために切り取り式であることから、誰でも手で切り取れるようになっている。
すなわち、トリアージタッグを自分で切り取れば、第２順位の識別標識（黄色）から、第１順位の識別標識（赤色）のトリアージタッグに変更ができるのである。トリアージタッグは、簡便性のために切り取り式を採用しているが、切り取りによって治療優先度を優先度の高いものに変更できる。第３順位の識別標識（緑色）から第１順位の識別標識（赤色）、又は第２順位の識別標識（黄色）に変更できるのである。
このように、負傷者が治療優先度を自分勝手に変更のできるようなトリアージタッグは、重大な欠陥を有すると考えられる。
【０００７】
かかる状況に鑑み、出願人は、従来技術を調査した結果、トリアージタッグについては、幾つか先行技術文献を発見したが、
しかし、下記特許文献の何れにも、負傷者が治療優先度を自分勝手に変更しようとしても変更の出来ないトリアージタッグの技術は、記載されておらず、かつ示唆もされていなかった。  
【特許文献１】登録実用新案第３０５３７５５号公報
【特許文献２】登録実用新案第３１２１００７号公報
【考案の開示】
【考案が解決しようとする課題】
【０００８】
○本考案が解決しようとする課題（本考案の課題）は、
負傷者が治療優先度を自分勝手に変更しようとしても変更の出来ないトリアージタッグを提供することである。
○本考案が解決しようとする第１課題（本考案の第１課題）は、より具体的には、第２順位の識別標識（黄色）のトリアージタッグから、第１順位の識別標識（赤色）のトリアージタッグに変更することができないトリアージタッグを提供することである。
○本考案が解決しようとする第２課題（本考案の第２課題）は、より具体的には、第３順位の識別標識（緑色）のトリアージタッグから、第１順位の識別標識（赤色）のトリアージタッグ、又は第２順位の識別標識（黄色）のトリアージタッグに変更することができないトリアージタッグを提供することである。
○本考案が解決しようとする第３課題（本考案の第３課題）は、より具体的には、第４順位の識別標識（黒色）のトリアージタッグから、第１順位の識別標識（赤色）のトリアージタッグ、又は第２順位の識別標識（黄色）のトリアージタッグ、又は第３順位の識別標識（緑色）に変更することができないトリアージタッグを提供することである。
【課題を解決するための手段】
【０００９】
課題を解決するための手段は、本願の［実用新案登録請求の範囲］の各請求項に記載の考案である。
【００１０】
実用新案登録請求の範囲、明細書、図面等の用語の解釈上の疑義を解消すべく、以下用語の説明を行うこととする。
【００１１】
＜用語の説明＞
○トリアージ（Ｔｒｉａｇｅ）とは、人材・資源の制約の著しい災害医療において、最善の救命効果を得るために、多数の傷病者を重症度と緊急性によって分別し、治療の優先度を決定すること。語源はフランス語の「ｔｒｉａｇｅ（選別）」から来ている。適した和訳は知られていないが、「症度判定」というような意味である。
○トリアージタッグとは、災害などで同時に多発した負傷者の、負傷程度による治療優先度を示す認識票をいう。本願明細書における、トリアージタッグは、上面に複写用紙を付したトリアージに必要な事項の記載欄を有し、且つその下に、治療優先度を示す４種類の識別標識を切り取り可能に設けてなる。
○複写用紙とは、紙に写し取るための用紙をいう。傷病者の氏名、年齢、性別、住所、トリアージ実施月日・時刻、トリアージ実施者名、搬送機関名、収容医療機関名等のトリアージに必要な事項を記載してこれらの事項を記載欄１０に複写させ、このトリアージタッグ１００を付けて傷病者を医療機関に搬送し、上面に付した複写用紙２０は医療機関で切り取る。
○トリアージに必要な事項とは、傷病者の氏名、年齢、性別、住所、トリアージ実施月日・時刻、トリアージ実施者名、搬送機関名、収容医療機関名等をいう。
【００１２】
複写用紙のトリアージに必要な事項を記載してこれらの事項を、トリアージタッグのトリアージに必要な事項の記載欄１０に複写させ、このトリアージタッグを付けて傷病者を医療機関に搬送し、上面に付した複写用紙２０は医療機関で切り取る。
○治療優先度を示す４種類の識別標識とは、生命、四肢の危機的状態で直ちに処置の必要なものを治療優先度第１順位、２〜３時間処置を遅らせても悪化しない程度のものを治療優先度第２順位、軽度外傷、通院加療が可能な程度のものを治療優先度第３位、生命徴候のないものを治療優先度第４順位としている。
第一順位は赤色、第２順位は黄色、第三順位は緑色、第四順位は黒色の色分けにより識別標識を付している。
上記のように色分けするのは、交通信号の色と呼応しており、黒色は喪服の色を表すので、色を変更することは不可能と考えられる。
○第１優先順位の識別標識とは、生命に関わる重篤な状態で一刻も早い処置が必要で救命の可能性があるものを表す標識である。赤色の標識である。
○第２優先順位の識別標識とは、今すぐに生命に関わる重篤な状態ではないが、早期に処置が必要なものを表す標識をいう。黄色の標識である。
○第３優先順位の識別標識とは、救急での搬送の必要がない軽症なものを表す標識である。緑色の標識である。
○第４優先順位の識別標識とは、死亡、もしくは救命に現況以上の救命資機材・人員を必要としても救命不可能なものを表す標識をいう。黒色の標識である。
○識別標識を切り取り可能とは、手で識別標識を切り取る（ぎり取る）ことが可能の意味である。
○下に位置するとは、重力方向に対して下方に位置することの意味である。
○上に位置するとは、重力方向に対して上方に位置することの意味である。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
本考案者は、上記の従来トリアージタッグの各種問題点に鑑み、鋭意検討を重ねて、本考案を完成したものである。
【００１３】
課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、
上面に複写用紙を付したトリアージに必要な事項の記載欄を有し、且つその下に、治療優先度を示す４種類の識別標識を切り取り可能に設けてなるトリアージタッグにおいて、第１優先順位の識別標識は第２優先順位の識別標識より下に位置することを特徴とするトリアージタッグである。
○第２の考案（請求項２に記載の考案）
上記の課題を解決するための第２の考案（請求項２に記載の考案）は、
第２優先順位の識別標識は第３優先順位の識別標識より下に位置することを特徴とする請求項１に記載のトリアージタッグである。
○第３の考案（請求項３に記載の考案）
上記の課題を解決するための第３の考案（請求項３に記載の考案）は、
第４優先順位の識別標識が、第１優先順位の識別標識、第２優先順位の識別標識、第３優先順位の識別標識よりも、最も上に位置することを特徴とする請求項１〜２の何れかに記載のトリアージタッグである。
○第４の考案（請求項４に記載の考案）
上記の課題を解決するための第４の考案（請求項４に記載の考案）は、
第１優先順位の識別標識が赤色、第２優先順位の識別標識が黄色、第３優先順位の識別標識が緑色、第４優先順位の識別標識が黒色であることを特徴とする請求項１〜３の何れかに記載のトリアージタッグである。
【考案の効果】
【００１４】
本考案に係る、トリアージタッグは、上記のような特徴的構成要件から構成され、特徴的構成要件に応じた、以下のような本願考案特有の効果を奏する。
【００１５】
また、上記のような特徴的構成要件から構成されたトリアージタッグによれば、本願考案の課題を十分解消することができた。
○第１の考案の効果
第１の考案によれば、上面に複写用紙を付したトリアージに必要な事項の記載欄を有し、且つその下に、治療優先度を示す４種類の識別標識を切り取り可能に設けてなるトリアージタッグにおいて、第１優先順位の識別標識は第２優先順位の識別標識より下に位置することを特徴とするトリアージタッグという特徴的な構成要件により、
負傷者が治療優先度を自分勝手に変更しようとしても変更の出来ないトリアージタッグを提供することができた。すなわち、本考案が解決しようとする課題を達成することができ、当業者予測不可能な顕著な効果を奏することができた。
【００１６】
具体的には、第２順位の識別標識（黄色）のトリアージタッグから、第１順位の識別標識（赤色）のトリアージタッグに変更することができないトリアージタッグを提供することができた。すなわち、本考案が解決しようとする第１課題を達成することができ、当業者が予測不可能な顕著な効果を奏することができた。
○第２の考案の効果
第２の考案によれば、第２優先順位の識別標識は第３優先順位の識別標識より下に位置することを特徴とする請求項１に記載のトリアージタッグという特徴的な構成要件により、
負傷者が治療優先度を自分勝手に変更しようとしても変更の出来ないトリアージタッグを提供することができた。すなわち、本考案が解決しようとする課題を達成することができ、当業者予測不可能な顕著な効果を奏することができた。
【００１７】
第３順位の識別標識（緑色）のトリアージタッグから、第１順位の識別標識（赤色）のトリアージタッグ、又は第２順位の識別標識（黄色）のトリアージタッグに変更することができないトリアージタッグを提供することができた。  すなわち、本考案が解決しようとする第２課題を達成することができ、当業者予測不可能な顕著な効果を奏することができた。
○第３の考案の効果
第３の考案によれば、第４優先順位の識別標識が、第１優先順位の識別標識、第２優先順位の識別標識、第３優先順位の識別標識よりも、最も上に位置することを特徴とする請求項１〜２の何れかに記載のトリアージタッグという特徴的構成要件により、本考案が解決しようとする第３課題を達成することができ、当業者が予測不可能な顕著な効果を奏することができた。
○第４の考案の効果
第４の考案によれば、第１優先順位の識別標識が赤色、第２優先順位の識別標識が黄色、第３優先順位の識別標識が緑色、第４優先順位の識別標識が黒色であることを特徴とする請求項１〜３の何れかに記載のトリアージタッグを開示することにより、本考案が解決しようとする課題、第１課題、第２課題、第３課題を達成することができ、当業者が予測不可能な顕著な効果を奏することができた。
【００１８】
以下、より具体的に本考案の効果を詳述する。
負傷者が治療優先度を自分勝手に変更しようとしても変更の出来ないような、最初から色の順番を決めておかなくてはならない。
例えば、図１で、トリアージタッグの色の順番が、下から赤色、黄色、緑色、黒色ならば、誰も色の変更はしません。変更すれば、自分が損をするからです。赤色の人が、赤色の部分を切れば、黒色か、黄色か緑色になる。黄色だと後回しになりますし、緑色だと医者にみてもらえないかも知れません。黒色だと、見捨てられます。赤色の人は、赤色の部分を切り取るようなことはしません。最初から自分で勝手にもぎれば、自分が損をするようにしておけば、誰も変更しません。
しかし、従来技術のように、切り取って色を変えれば、得をするようなものを作っておけば、自分で勝手に色を変えてしまう人が出てくるのです（従来の技術）。
トリアージタッグの色のついた識別の順番を外側から、赤色、黄色、緑色、黒色と変更することにより、負傷者が治療優先度を自分勝手に変更しようとしても変更の出来ないトリアージタッグを提供することができた。
【考案を実施するための最良の形態】
【００１９】
以下、本考案に係る、トリアージタッグに関する最良の実施形態について、図面を参照しながら説明する。
図１は、本考案に係る、トリアージタッグ（実施例１）の平面図である。
図２は、上面の複写用紙を開いた状態における同上の平面図である。
図３は、従来技術に係る、トリアージタッグの平面図である。
＊＊＊＊＊＊＊＊＊＊＊＊＊＊＊＊＊＊＊＊＊＊＊＊＊＊＊＊＊＊＊＊＊＊＊
本願発明に係るトリアージタッグ１００は、上面に複写用紙を付したトリアージに必要な事項の記載欄１０を有し、且つその下に、治療優先度を示す４種類の識別標識１，２，３，４を切り取り可能に設けてなる。
【００２０】
上記第１優先順位の識別標識１は第２優先順位の識別標識２より下に位置することを特徴とする。
＊＊＊＊＊＊＊＊＊＊＊＊＊＊＊＊＊＊＊＊＊＊＊＊＊＊＊＊＊＊＊＊＊＊＊
上記トリアージタッグ１００において、第２優先順位の識別標識２は第３優先順位の識別標識３より下に位置することを特徴とする。
＊＊＊＊＊＊＊＊＊＊＊＊＊＊＊＊＊＊＊＊＊＊＊＊＊＊＊＊＊＊＊＊＊＊＊
上記トリアージタッグ１００において、第４優先順位の識別標識４が、第１優先順位の識別標識１、第２優先順位の識別標識２、第３優先順位の識別標識３よりも、最も上に位置することを特徴とする。
＊＊＊＊＊＊＊＊＊＊＊＊＊＊＊＊＊＊＊＊＊＊＊＊＊＊＊＊＊＊＊＊＊＊＊
上記トリアージタッグ１００において、第１優先順位の識別標識１が赤色、第２優先順位の識別標識２が黄色、第３優先順位の識別標識３が緑色、第４優先順位の識別標識４が黒色であることを特徴とする。
【図面の簡単な説明】
【００２１】
【図１】は、本考案に係る、トリアージタッグの平面図である。
【図２】は、上面の複写用紙を開いた状態における同上の平面図である。
【図３】は、従来技術に係る、トリアージタッグの平面図である。
【符号の説明】
【００２２】
１００                    トリアージタッグ
２０                      複写用紙
１０                      トリアージに必要な事項の記載欄
１                        第１優先順位の識別標識（赤色）
２                        第２優先順位の識別標識（黄色）
３                        第３優先順位の識別標識（緑色）
４                        第４優先順位の識別標識（黒色）
１０１                    紐
【図１】
0003151663.tif 000003
【図２】
0003151663.tif 000004
【図３】
0003151663.tif 000005